(57)【特許請求の範囲】
【請求項１】
建柱に設けたファンと、このファンの送風領域に水、水粒子、又は微粒子を噴射するために、このファン、又は前記建柱に設けた散水ノズルと、この散水ノズルに水、薬液、液肥、防虫剤の流体を送るホースとで構成したファンの散水装置であって、
前記散水ノズルから噴射された流体に付与された噴射力が、前記送風領域内に到達し、かつこの送風領域内で消失する構成を達成するために、この散水ノズルの噴射方向を、前記送風領域の中心に向って行う構成としたファンの散水装置であって、
前記散水ノズルを、ファンに設けたガードの下側、又は下半分側に設けたブラケットと、このブラケットに可動自在に枢着した可動板に設ける構成としたファンの散水装置。
【請求項２】
請求項１に記載のファンの散水装置において、
前記送風領域の中心は、前記ファンの回転軸の軸芯とする構成としたファンの散水装置。
【請求項３】
請求項２に記載のファンの散水装置において、
前記ファンの回転軸の軸芯と、前記散水ノズルの噴射方向の交差角度θを、鋭角とする構成としたファンの散水装置。
【請求項４】
請求項１に記載のファンの散水装置において、
前記散水ノズルを、一基、又は数基とする構成としたファンの散水装置。
【請求項５】
請求項１に記載のファンの散水装置において、
前記散水ノズルの水、水粒子、又は微粒子を噴射する操作を、遠隔操作とする構成としたファンの散水装置。
【発明の詳細な説明】
【技術分野】
【０００１】
本発明は、果樹園、茶園、その他の圃場、牧草圃場、稲藁・麦藁生成箇所において、樹木、果実、葉、稲藁、麦藁等の汚染防止、例えば、放射能、煤煙、粉塵等の有害物資を払拭すること、又は加湿、養生、或いは防霜等を図ることを意図して、水、水粒子、又は微粒子を噴射するファン（空中、又は地上に設けたファンであり、最適な例は、防霜ファン）の散水装置に関する。
【背景技術】
【０００２】
従来、この種のファン（防霜ファン）の散水装置としては、適切なものがなく、昨今の牧草、稲藁・麦藁生成地において、放射能による樹木、果実、葉、稲藁、麦藁等の汚染防止が大きな問題となっている。この状況は、国内を戦慄させているが、有効な解決策がないのが現況である。また、その他の汚染、例えば、煤煙、粉塵等の有害物資においても同様である。
【０００３】
そして、先行技術、殊に、先行文献においても、防霜ファンと細霧冷房、例えば、本出願人が提案する、特開２０１０−６８７４０号公報の「農作物の生育を制御する細霧冷却装置」の発明がある。又は散水、例えば、本出願人が提案する、特開２００６−１０９８０４号公報の「多頭式（多頭方式：数基）の高所式ファンを利用した防霜装置と、その防霜方法」の発明がある。しかしながら、本発明が意図する、散水による放射能、煤煙、粉塵等の有害物資を払拭する内容の文献は、検索することができなかった。尚、散水に関する他の分野として、例えば、次のような文献が見当たる。文献１は、特開２００２−３５７６９５号公報の「除染方法および装置」がある。しかし、この発明は、明細書の［００６６］において、除染槽内にスプレイ装置を設置し、除染液又は洗浄水を除染対象物に散水できるようにしているとの記載はあるが、水を散水するものでない。また、文献２は、特開２００４−２４３１９５号公報の「汚染土壌の浄化方法」がある。しかし、この発明は、明細書の［００１０］において、舞い上がった粉塵を静めるのには散水が効果的であるが、本発明では加熱源に過熱蒸気を使用することによって散水効果を発揮させる。つまり過熱蒸気は冷却されて水に還ることを利用して、粉塵と混ざった蒸気が水に還って、粉塵を吸着して水滴となって落下して粉塵の飛散が防止され、粉塵は泥流となって回収されるとの記載はあるが、水を散水するものでない。
【０００４】
【特許文献１】特開２００２−３５７６９５号公報
【特許文献２】特開２００４−２４３１９５号公報
【発明の概要】
【発明が解決しようとする課題】
【０００５】
以上で説明した文献１、文献２は、散水であっても、分野が異なることと、ファンの散水装置の構造を備えた、効率的な散水でなく、かつ散水に留まらず、水粒子、又は微粒子を噴射するファンの散水装置に関する発明でない。
【０００６】
そこで、本発明は、請求項１において、多機能、即ち、水、水粒子、又は微粒子であって、かつ強弱でなる水流を噴射できる散水ノズルを、ファンに付設し（設け）、この噴射ノズルからの噴射する水、水粒子、又は微粒子を、ファンの送風領域内に到達させ、かつ送風領域内で消失する構成とすることで、この水、水粒子、又は微粒子を、果樹園、茶園、その他の圃場、牧草圃場、稲藁・麦藁生成箇所において、樹木、果実、葉、稲藁、麦藁等の汚染防止、例えば、放射能、煤煙、粉塵等の有害物資を払拭すること、又は加湿、養生、或いは防霜等を図ること、等を意図するとともに、この目的を達成するには、この散水ノズルの取付と、その保護、又は耐久性等に対して、ファンに設けたガードを活用することと、このガードが機能する特性、例えば、破損したファンの飛散と、その事故発生回避、又は人・飛来物の事故、散水ノズルの点検、又は調整という新しい作業に基づいて、この散水ノズルの点検、殊に散水ノズル、又はその装置に慣れていない農作業者等の際に、発生し易い人・飛来物の捲込み事故回避、これに纏わる余分の作業回避等に最大限に活用することを意図する。そして、この請求項１の目的を達成するために、請求項２−５に示した、それぞれの特徴を発揮することを意図する。
【課題を解決するための手段】
【０００７】
請求項１の発明は、多機能、即ち、水、水粒子、又は微粒子であって、かつ強弱でなる水流を噴射できる散水ノズルを、ファンに付設し（設け）、この噴射ノズルからの噴射する水、水粒子、又は微粒子を、ファンの送風領域内に到達させ、かつ送風領域内で消失する構成とすることで、この水、水粒子、又は微粒子を、果樹園、茶園、その他の圃場、牧草圃場、稲藁・麦藁生成箇所において、樹木、果実、葉、稲藁、麦藁等の汚染防止、例えば、放射能、煤煙、粉塵等等の有害物資を払拭すること、又は加湿、養生、或いは防霜等を図ること、等を意図するとともに、この散水ノズルの取付と、その保護、又は耐久性等に対して、ファンに設けたガードを活用することと、このガードが機能する特性、例えば、破損したファンの飛散と、その事故発生回避、又は人・飛来物の事故、散水ノズルの点検、又は調整という新しい作業に基づいて、この散水ノズルの点検、殊に散水ノズル、又はその装置に慣れていない農作業者等の際に、発生し易い人・飛来物の捲込み事故回避、これに纏わる余分の作業回避等に最大限に活用することを意図する。
【０００８】
請求項１は、建柱に設けたファンと、このファンの送風領域に水、水粒子、又は微粒子を噴射するために、このファン、又は前記建柱に設けた多機能の散水ノズルと、この散水ノズルに水、薬液、液肥、防虫剤の流体を送るホースとで構成したファンの散水装置であって、
前記散水ノズルから噴射された流体に付与された噴射力が、前記送風領域内に到達し、かつこの送風領域内で消失する構成を達成するために、この散水ノズルの噴射方向を、前記送風領域の中心に向って行う構成としたファンの散水装置であって、
前記散水ノズルを、ファンに設けたガードの下側、又は下半分側に設けたブラケットと、このブラケットに可動自在に枢着した可動板に設ける構成としたファンの散水装置である。
【０００９】
請求項２の発明は、請求項１の目的を達成するには、この送風領域を、ファンの回転軸の軸芯とし、このファンと風との特性を最大限に発揮することを意図する。
【００１０】
請求項２は、請求項１に記載のファンの散水装置において、
前記送風領域の中心は、前記ファンの回転軸の軸芯とする構成としたファンの散水装置である。
【００１８】
請求項３の発明は、請求項２の目的を達成するには、回転軸の軸芯と、散水ノズルの噴射方向の交差角度θを、鋭角とする必要性があり、この必要性を達成することを意図する。
【００１９】
請求項３は、請求項２に記載のファンの散水装置において、
前記ファンの回転軸の軸芯と、前記散水ノズルの噴射方向の交差角度θを、鋭角とする構成としたファンの散水装置である。
【００２０】
請求項４の発明は、請求項１の目的を、省エネで達成するには、この噴射ノズルの台数を、限定する必要性がある、これに適した構造の提案を意図する。
【００２１】
請求項４は、請求項１に記載のファンの散水装置において、
前記散水ノズルを、一基、又は数基とする構成としたファンの散水装置である。
【００２２】
請求項５の発明は、請求項１の目的を達成するには、この散水ノズルの構造を特定することと、この散水ノズルの特性と送風とを効率的にドッキングすることであり、この特性を発揮することを意図する。
【００２３】
請求項５は、請求項１に記載のファンの散水装置において、
前記散水ノズルの水、水粒子、又は微粒子を噴射する操作を、遠隔操作とする構成としたファンの散水装置である。
【発明の効果】
【００２４】
請求項１の発明は、建柱に設けたファンと、ファンの送風領域に水、水粒子、又は微粒子を噴射するために、ファン、又は建柱に設けた多機能の散水ノズルと、散水ノズルに水、薬液、液肥、防虫剤の流体を送るホースとで構成したファンの散水装置であって、
散水ノズルから噴射された流体に付与された噴射力が、送風領域内に到達し、かつ送風領域内で消失する構成を達成するために、散水ノズルの噴射方向を、送風領域の中心に向って行う構成としたファンの散水装置であって、
散水ノズルを、ファンに設けたガードの下側、又は下半分側に設けたブラケットと、ブラケットに可動自在に枢着した可動板に設ける構成としたファンの散水装置である。
【００２５】
これにより、請求項１は、多機能、即ち、水、水粒子、又は微粒子であって、かつ強弱でなる水流を噴射できる散水ノズルを、ファンに付設し（設け）、この噴射ノズルからの噴射する水、水粒子、又は微粒子を、ファンの送風領域内に到達させ、かつ送風領域内で消失する構成とすることで、この水、水粒子、又は微粒子を、果樹園、茶園、その他の圃場、牧草圃場、稲藁・麦藁生成箇所において、樹木、果実、葉、稲藁、麦藁等の汚染防止、例えば、放射能、煤煙、粉塵等等の有害物資を払拭できること、又は加湿、養生、或いは防霜等が図れること、等の特徴があるとともに、この目的を達成することを意図し、この散水ノズルの取付と、その保護、又は耐久性等に対して、ファンに設けたガードを活用できる構造と、このガードが機能する特性、例えば、破損したファンの飛散と、その事故発生回避、又は人・飛来物の事故、散水ノズルの点検、又は調整という新しい作業に基づいて、この散水ノズルの点検、殊に散水ノズル、又はその装置に慣れていない農作業者等の際に、発生し易い人・飛来物の捲込み事故回避、これに纏わる余分の作業回避等を最大限に活用できる構造を提案する。
【００２６】
請求項２の発明は、請求項１に記載のファンの散水装置において、
送風領域の中心は、ファンの回転軸の軸芯とする構成としたファンの散水装置である。
【００２７】
これにより、請求項２は、請求項１の目的を達成することを意図し、この送風領域を、ファンの回転軸の軸芯とし、このファンと風との特性を最大限に発揮する構造を提案する。
【００３５】
請求項３の発明は、請求項２に記載のファンの散水装置において、
ファンの回転軸の軸芯と、散水ノズルの噴射方向の交差角度θを、鋭角とする構成としたファンの散水装置である。
【００３６】
これにより、請求項３は、請求項２の目的を達成することを意図して、回転軸の軸芯と、散水ノズルの噴射方向の交差角度θを、鋭角とする必要性があり、この必要性を達成できる構造を提案する。
【００３７】
請求項４の発明は、請求項１に記載のファンの散水装置において、
散水ノズルを、一基、又は数基とする構成としたファンの散水装置である。
【００３８】
これにより、請求項４は、請求項１の目的を、省エネで達成することを意図し、この噴射ノズルの台数を、限定する必要性がある、これに適した構造を提案する。
【００３９】
請求項５の発明は、請求項１に記載のファンの散水装置において、
散水ノズルの水、水粒子、又は微粒子を噴射する操作を、遠隔操作とする構成としたファンの散水装置である。
【００４０】
これにより、請求項５は、請求項１の目的を達成することを意図し、この散水ノズルの構造を特定することと、この散水ノズルの特性と送風とを効率的にドッキングすることであり、この特性を発揮できる構造を提案する。
【図面の簡単な説明】
【００４１】
【図１】第一実施例を示した正面図
【図２】第一実施例を示した側面図
【図３】第一実施例を示した平面図
【図４】第一実施例の側面図において、送風と散水との好ましい関係を示した模式図
【図５−１】第二実施例の一例であり散水ノズルを一基とした構造を示した正面図
【図５−２】第二実施例の他の例であり散水ノズルを数基とした構造を示した正面図
【図６−１】第二実施例を示した側面図
【図６−２】第二実施例の他の例の側面図
【図７】第二実施例を示した平面図
【図８−１】第二実施例の一例の側面図において、送風と散水との好ましい関係を示した模式図
【図８−２】第二実施例の他の例の側面図において、送風と散水との好ましい関係を示した模式図
【図９】第三実施例を示した正面図
【図１０】第三実施例を示した側面図
【図１１】第三実施例を示した平面図
【図１２】第三実施例の側面図において、送風と散水との好ましい関係を示した模式図
【図１３】第四実施例を示した正面図
【図１４】第四実施例を示した側面図
【図１５】散水ノズルの好ましい一例を示した拡大斜視図
【図１６】散水ノズルの散水する水の状態を示した模式図
【図１７】使用状態の模式図
【発明を実施するための形態】
【００４２】
先ず、各実施例で共通するファンＡの好ましい一例を説明すると、このファンＡ（通常の防霜ファンである）は、建柱Ｂ（支持材）に被嵌する天井を備えた筒状の取付け筒１と、この取付け筒１に設けた、この取付け筒１を建柱Ｂに緊締する締付け螺子２と、この取付け筒１の上面に設けた略船形を呈する取付け台３と、この取付け台３に内装した減速機構を備えたモータ５と、リンク機構６でなる首振り手段Ｃ（旋回）と、この首振り手段Ｃの可動軸６００（一定の範囲で旋回する）に設けた旋回する架台７（回転台）と、この架台７に設けた俯角調整手段Ｄを介して、この架台７に俯角調整自在に設けたモータベース８と、このモータベース８に設けたファン用の羽根１０を回転するモータ１１とで構成する。従って、この羽根１０は、モータ１１の回転で回転するとともに、この架台７が、首振り手段Ｃと可動軸６００とにより首振り（旋回）することで、この首振り範囲において、羽根１０の回転を介して、送風領域Ｅ（送風流域）を形成する。また、送風領域Ｅの俯角は、俯角調整手段Ｄを介して調整する。前述の如く、従来の防霜ファンへの設置も可能であり、低コストと汎用性の向上、並びに経費の削減と、管理の簡便化と、従来の経験が活用できること、等の特徴がある。
【００４３】
図中１２はファン用のガードで、羽根１０の後側に設置し、羽根１０の後側から、羽根１０を囲繞するが、羽根１０の前側は開放１２００されている。従って、このガード１２は、破損した羽根１０の後方への飛散（この後方への飛散が、略１００％である）防止と、その事故発生回避、又は散水ノズルの点検、又は調整という新しい作業に基づいて、この散水ノズルの点検、殊に散水ノズル、又はその装置に慣れていない農作業者等の際に、発生し易い人・飛来物の捲込み事故回避、これに纏わる余分の作業（例えば、羽根１０が自然風で回らないように固定する作業、監視作業等）回避等を計るのに有益である。本発明では、このガード１２は、後述するように、他にも有用な役割を担っている。
【００４４】
そして、図１〜図４に示した第一実施例では、環状で、吸込隙間を備えた網体形状のガード１２に散水ノズル１５を設ける。このガード１２は、モータ１１の出力側に取付けたこのモータ１１の外周面より大径の円板状取付け板１１００の円板方向に、間隔を置いて、この円板方向に順次、その基端を設け、かつその自由端を開放１２００側に設けた多数本のガード平板１２０１と、この多数のガード平板１２０１に直交する、前記基端から開放１２００側に向って設けた小径から大径に亙る複数本のリング形状のガード枠体１２０２とで構成する。そして、このガード１２の開放端１２ａよりセンター１２ｂに向って延設した複数本の支持杆１３、１３を介して、散水ノズル１５を支持する構造である。この構造の如く、円板状取付け板１１００を介して、ガード１２をモータ１１に取付けることで、このガード１２を、モータ１１に、簡易かつ強固に取付け得ることと、このガード１２の役割を確実に達成できること、又はモータ１１、及び／又は、出力軸を、羽根１０の破損物から保護できること、等の特徴を有する。また、前記散水ノズル１５にはホース１６が取付けられている。従って、この散水ノズル１５からは、送風領域ＥのセンターＥ１に向って、散水Ｆ（放水）される。この散水Ｆは、ファンＡの動き（首振り）と同期し、又はファンＡとともに俯角調整が可能である。また、この散水Ｆは、送風領域Ｅ内に留まり、この送風領域Ｅの外に到ることはない。尚、散水Ｆは、水、水粒子、又は微粒子を噴射するが、例えば、図１６の如く、如雨露散水、シャワー散水、直射散水、又は拡散散水、或いは噴霧散水とする。そして、この中で、如雨露散水、直射散水では、樹木Ｇ、果実Ｇ１、葉Ｇ２、稲藁、麦藁等の汚染防止、例えば、放射能、煤煙、粉塵等等の有害物資を払拭できると考えられる。また、シャワー散水、噴霧散水では、樹木Ｇ、果実Ｇ１、葉Ｇ２等の加湿、養生、或いは防霜等が図れると考えられる。このように、多機能の散水ノズル１５を使用することで、前述の効果と、樹木Ｇ、果実Ｇ１、葉Ｇ２、稲藁、麦藁等の汚染防止に役立つ特徴がある。また、ホース１６は、ファンＡが首振り動作と、俯角調整をすることで、建柱Ｂにフレキシブルに取付ける方法と、これらの動作に対応できるように、余裕と弾性を付与することが望まれる。また、複数基、設置箇所と高さ等を考慮し、この散水ノズル１５に所定量の水を供給するために、図示しないが、ポンプを採用する。また、前記噴射ノズル１５の操作を、遠隔操作することもできる。
【００４５】
また、図５−１〜図８−２に示した第二実施例では、第一実施例のガード１２の下側１２ｃに設けたブラケット２０と、ブラケット２０に可動自在に枢着した可動板２１とで構成した散水ノズル１５の支持構造であり、調整手段２２を介して、可動板２１を可動し、散水ノズル１５の向きを可変する。その他は、前述の第一実施例に準ずる。この散水ノズル１５からは、送風領域ＥのセンターＥ１（羽根１０の回転軸の軸芯方向）に向って、散水Ｆ（放水）され、このセンターＥ１とθの角度を持って噴射される。この散水Ｆは、送風領域Ｅ内に留まり、この送風領域Ｅの外に到ることはない。尚、散水Ｆは、水、水粒子、又は微粒子を噴射するが、例えば、図１６の如く、如雨露散水、シャワー散水、直射散水、又は拡散散水、或いは噴霧散水とする。その他は、前述の第一実施例に準ずる。また、図６−２、図８−２の如く、散水ノズル１５の散水Ｆ方向を下向きとして、θの角度を小さくすることも可能であり、樹木Ｇ、葉Ｇ２等に近接して散水等が可能となる。又、散水ノズルを送風領域Ｅの方向に移動することが出来る。
【００４６】
さらに、図９〜図１２に示した第三実施例では、モータベース８、又は架台７等に垂下した支持腕２５と、この支持腕２５に設けた可動板２１を介して散水ノズル２５を可動自在に設ける構造であり、この可動板２１の構造と動きは、前述の第二実施例に準ずる。そして、この第三実施例の如く、ガード１２を設けないことも可能である（ガード１２の特徴は期待できないが、やや羽根１０より離間しており、危険性は少ないと考えられる）。尚、図示しないが、支持腕２５は、第一・第二実施例のガード１２の裏側１２ｄより垂下、かつ延設し、この支持腕２５に散水ノズル１５を設ける支持構造も可能である。また、この図示しない支持腕２５を、フレキシブル構造とすることで、可変自在とし、散水ノズル１５の向きを可変する。その他は、前述の第一実施例に準ずる。この散水ノズル１５からは、送風領域ＥのセンターＥ１（羽根１０の軸芯方向）に向って、散水Ｆ（放水）され、このセンターＥ１とθの角度を持って噴射される。この散水Ｆは、送風領域Ｅ内に留まり、この送風領域Ｅの外に到ることは原則としてないこととし、効率的な散水Ｆと、散水Ｆの水量の有効利用と、経済性等を確保する。尚、散水Ｆは、水、水粒子、又は微粒子を噴射するが、例えば、図１６の如く、如雨露散水、シャワー散水、直射散水、又は拡散散水、或いは噴霧散水とする。その他は、前述の第一実施例に準ずる。
【００４７】
そして、図１３、図１４に示した第四実施例では、第三実施例の別の例であり、支持腕２５より下半分側に左右の腕片２５００を延長し、この各腕片２５００に散水ノズル１５を設けた構造である。これにより、散水Ｆを、送風領域Ｅ内に留めることで、例えば、散水Ｆの量の確保と、散水Ｆの方向性を選択できる構造とする。これにより、例えば、建柱ＢとファンＡの省略、果樹園、茶園、その他の圃場、牧草圃場、稲藁・麦藁生成箇所等の形態、地形等に有効に対応可能である。この第四実施例の如く、複数基の散水ノズル１５を設ける例は、第一・第二実施例の支持杆１３、又はガード１２の下半分側に設ける構造も同様に考えられる。
【００４８】
図１７では、圃場のリンゴ畑において、本発明の散水ノズル１５付きのファンＡを採用した一例を示している。好ましい一例であり、限定されない。そして、遠隔操作と自動制御システム等を利用して、散水ノズル１５、及び／又は、ファンＡの操作をすれば、現地に限らず、各所から操作でき、簡便であり、かつより有効性が確保できる。
【００４９】
また、図示しないが、水に代えて、薬液、液肥、防虫剤、その他の液体等の流体を使用する例もあり得る。この際には、この薬液、防虫剤等の流体を散布後に、水を散水Ｆすることも、衛生面と薬液、防虫剤等の払拭に有益である。
【符号の説明】
【００５０】
１            取付け筒
２            螺子
３            取付け台
５            モータ
６            リンク機構
６００        可動軸
７            架台
８            モータベース
１０          羽根
１１          モータ
１１００      取付け板
１２          ガード
１２ａ        開放端
１２ｂ        センター
１２ｃ        下側
１２ｄ        裏側
１２００      開放
１２０１      ガード平板
１２０２      ガード枠体
１３          支持杆
１５          散水ノズル
１６          ホース
２０          ブラケット
２１          可動板
２２          調整手段
２５          支持腕
２５００      腕片
Ａ            ファン
Ｂ            建柱
Ｃ            首振り手段
Ｄ            俯角調整手段
Ｅ            送風領域
Ｅ１          センター
Ｆ            散水
Ｇ            樹木
Ｇ１          果実
Ｇ２          葉
【図１７】
0005824273.tif 000002
【図１】
0005824273.tif 000003
【図２】
0005824273.tif 000004
【図３】
0005824273.tif 000005
【図４】
0005824273.tif 000006
【図５−１】
0005824273.tif 000007
【図５−２】
0005824273.tif 000008
【図６−１】
0005824273.tif 000009
【図６−２】
0005824273.tif 000010
【図７】
0005824273.tif 000011
【図８−１】
0005824273.tif 000012
【図８−２】
0005824273.tif 000013
【図９】
0005824273.tif 000014
【図１０】
0005824273.tif 000015
【図１１】
0005824273.tif 000016
【図１２】
0005824273.tif 000017
【図１３】
0005824273.tif 000018
【図１４】
0005824273.tif 000019
【図１５】
0005824273.tif 000020
【図１６】
0005824273.tif 000021